(57)【要約】【課題】室内機本体から前面パネルを取り外す際に、破損を招くことなく、前面パネルを簡単に取り外すことができる空気調和機を提供すること。【解決手段】前面パネル４は、室内機本体１に挿入されるように裏面４０に突設されたアーム２０を備える。このアーム２０に水平方向に延びる軸３０が設けられている。室内機本体１は、軸３０を回動自在に支持するための、前方へ窪むように湾曲した周縁１３を少なくとも有する軸受け部１０を備える。前面パネル４が室内機本体１に対して全開状態を越えてさらに開く向きに外力Ｆを受けたとき、軸３０の先端外周部に、周縁１３の下部１３ｂに当接することによって軸３０が軸受け部１０から水平方向に外れる向きにアーム２０を弾性変形させる第１の面取り３１が形成されている。【選択図】図１
2008051434.tif 000002
【特許請求の範囲】
【請求項１】
室内機本体（１）とこの室内機本体（１）に対して着脱される前面パネル（４）とを備えた空気調和機であって、
上記前面パネル（４）は、上記室内機本体（１）に挿入されるように裏面（４０）に突設されたアーム（２０）を備え、このアーム（２０）に水平方向に延びる軸（３０）が設けられ、
上記室内機本体（１）は、上記軸（３０）を回動自在に支持するための、前方へ窪むように湾曲した周縁（１３）を少なくとも有する軸受け部（１０）を備え、
上記前面パネル（４）が上記室内機本体（１）に対して或る開き角をなす全開状態を越えてさらに開く向きに外力（Ｆ）を受けたとき、上記軸（３０）の先端外周部のうち上記周縁（１３）の下部（１３ｂ）に面する部位に、上記周縁（１３）の下部（１３ｂ）に当接することによって上記軸（３０）が上記軸受け部（１０）から水平方向に外れる向きに上記アーム（２０）を弾性変形させる第１の面取り（３１）が形成されていることを特徴とする空気調和機。
【請求項２】
請求項１に記載の空気調和機において、
上記前面パネル（４）が上記室内機本体（１）に対して上記全開状態からさらに開かれるとき、上記軸（３０）の先端外周部のうち上記周縁（１３）の中央部（１３ａ）に面する部位に、上記周縁（１３）の中央部（１３ａ）に当接することによって上記アーム（２０）を弾性変形させて、上記軸（３０）を上記軸受け部（１０）から離脱させる第２の面取り（３２）が形成されていることを特徴とする空気調和機。
【請求項３】
請求項１に記載の空気調和機において、
上記前面パネル（４）が上記全開状態を作るべき姿勢で上記室内機本体（１）に対して前方から後方へ押し込まれて取り付けられるとき、上記軸（３０）の先端外周部のうち後方を向く位置に、上記軸（３０）が上記周縁（１３）に達するまでの間、上記軸受け部（１０）の上記周縁（１３）よりも前方に相当する部分（１２ｆ）に当接して、上記軸（３０）が上記軸受け部（１０）から外れる向きと同じ向きに上記アーム（２０）を弾性変形させる第３の面取り（３３）が形成されていることを特徴とする空気調和機。
【請求項４】
請求項１に記載の空気調和機において、
上記前面パネル（４）が上記室内機本体（１）に対して上記全開状態からさらに開かれるとき、上記前面パネル（４）の上縁（４）が上記室内機本体（１）のうち上記閉状態で閉じられる開口（９）の縁（２ｅ）よりも上方の部分（２ａ）に当接して、上記外力（Ｆ）に応じた力（Ｆ１，Ｆ２）を上記軸（３０）に作用させる支点となるように、上記アーム（２２）の長さと上記室内機本体（１）内での上記周縁（１３）の位置とが設定されていることを特徴とする空気調和機。
【発明の詳細な説明】
【技術分野】
【０００１】
この発明は空気調和機に関し、より詳しくは、据付や移設等の便宜のために、室内機本体に対して着脱される前面パネルを備えた空気調和機に関する。
【背景技術】
【０００２】
この種の空気調和機としては、図１２に示すように、前面パネル（図示せず）の裏面上部に、室内機本体に挿入されるアーム６６が突設され、このアームに水平方向に延びる軸６５を有するものが知られている（例えば、特許文献１（特開平８−１３５９９４号公報）参照。）。一方、室内機本体には、その軸６５を回動自在に支持するための軸受け部６３が設けられている。この例では、軸受け部６３には、丸穴６４と、この丸穴６４に連なる水平方向の溝８１と、この溝８１に連なる面取り部８２が設けられている。また、上記軸６５の先端には、前面パネルが本体に対して或る角度に開かれた状態で溝８１に正対する部位に、面取り９１が形成されている。
【０００３】
室内機本体に対して前面パネルを取り付けるときは、作業者は、前面パネルを手に持ち、アーム６６の軸６５を面取り部８２の位置に合わせて、前面パネルを水平方向に押し込む。これにより、アーム６６の軸６５が面取り部８２、溝８１に沿って案内されて挿入され、丸穴６４に嵌合する。しかる後、前面パネルを軸６５の周りに回転させて、室内機本体に対して前面パネルを閉じる。一方、室内機本体から前面パネルを取り外すときは、前面パネルの下側部を掴んで、手前に引くようにして持ち上げて、前面パネルを軸６５の周りに回転させて開く。前面パネルを所定の角度まで開くと、軸６５の面取り９１が溝８１に正対するとともに、凸６９によって軸６５が丸穴６４から水平方向に外れる向きにアーム６６が弾性変形する状態になる。この状態で、前面パネルを手前に引っ張ると、面取り９１が溝８１に乗り上げて、アーム６６が弾性変形した状態で、軸６５は溝８１に沿って手前に移動し、室内機本体から前面パネルが外れる。なお、凸６８は、前面パネルを途中の角度で保持するためのものである。
【特許文献１】特開平８−１３５９９４号公報
【発明の開示】
【発明が解決しようとする課題】
【０００４】
一般的に言って、空気調和機の据付や移設等に携わる作業者は、多種多様の空気調和機を取り扱う。このため、作業者は、機種毎の正確な取り外し方法を把握することなく、室内機本体から前面パネルを取り外そうとする場合がある。
【０００５】
ここで、従来例の空気調和機では、前面パネルの取り外しのために、軸６５の周りの前面パネルの回転と前面パネルの水平方向の移動というような異種の操作を必要とする。このため、予め正確な取り外し方法を把握しておかなければ、なかなか前面パネルを取り外すことができない。この結果、作業者が前面パネルに過度な力を加えて、アーム６６を破損してしまう、という問題がある。
【０００６】
そこで、この発明の課題は、室内機本体から前面パネルを取り外す際に、破損を招くことなく、前面パネルを簡単に取り外すことができる空気調和機を提供することにある。
【課題を解決するための手段】
【０００７】
上記課題を解決するため、この発明の空気調和機は、
室内機本体とこの室内機本体に対して着脱される前面パネルとを備えた空気調和機であって、
上記前面パネルは、上記室内機本体に挿入されるように裏面に突設されたアームを備え、このアームに水平方向に延びる軸が設けられ、
上記室内機本体は、上記軸を回動自在に支持するための、前方へ窪むように湾曲した周縁を少なくとも有する軸受け部を備え、
上記前面パネルが上記室内機本体に対して或る開き角をなす全開状態を越えてさらに開く向きに外力を受けたとき、上記軸の先端外周部のうち上記周縁の下部に面する部位に、上記周縁の下部に当接することによって上記軸が上記軸受け部から水平方向に外れる向きに上記アームを弾性変形させる第１の面取りが形成されていることを特徴とする。
【０００８】
この発明の空気調和機では、上記前面パネルが上記室内機本体に対して閉状態から或る開き角をなす全開状態まで開かれるとき、上記軸が上記軸受け部に支持された状態で、上記前面パネルは上記軸の周りに回転する。上記前面パネルが上記室内機本体に対して上記全開状態からさらに開かれるとき、上記軸の先端外周部に形成された第１の面取りが、上記周縁の下部に当接することによって上記軸が上記軸受け部から水平方向に外れる向きに上記アームを弾性変形させる。したがって、上記前面パネルの全開状態から、作業者が前面パネルを取り外そうとして前面パネルに対して少し余分な力を加えると、上記軸が上記軸受け部から容易に外れる。したがって、作業者が予め正確な取り外し方法を知らなくても、破損を招くことなく、室内機本体から前面パネルを簡単に取り外すことができる。この結果、サービス交換のためのコストが削減される。
【０００９】
一実施形態の空気調和機では、上記前面パネルが上記室内機本体に対して上記全開状態からさらに開かれるとき、上記軸の先端外周部のうち上記周縁の中央部に面する部位に、上記周縁の中央部に当接することによって上記アームを弾性変形させて、上記軸を上記軸受け部から離脱させる第２の面取りが形成されていることを特徴とする。
【００１０】
この一実施形態の空気調和機では、上記前面パネルが上記室内機本体に対して上記全開状態からさらに開かれるとき、上記軸の先端外周部に形成された第２の面取りが、上記周縁の中央部に当接することによって上記アームを弾性変形させて、上記軸を上記軸受け部から離脱させる。つまり、この空気調和機では、室内機本体に対して前面パネルを開く向きに回転させる１種類の操作だけで、室内機本体から前面パネルが外れる。したがって、前面パネルをさらに簡単に取り外しできる。
【００１１】
一実施形態の空気調和機では、上記前面パネルが上記全開状態を作るべき姿勢で上記室内機本体に対して前方から後方へ押し込まれて取り付けられるとき、上記軸の先端外周部のうち後方を向く位置に、上記軸が上記周縁に達するまでの間、上記軸受け部の上記周縁よりも前方に相当する部分に当接して、上記軸が上記軸受け部から外れる向きと同じ向きに上記アームを弾性変形させる第３の面取りが形成されていることを特徴とする。
【００１２】
この一実施形態の空気調和機では、上記前面パネルが上記全開状態を作るべき姿勢で上記室内機本体に対して前方から後方へ押し込まれて取り付けられるとき、上記軸が上記周縁に達するまでの間、上記軸の先端外周部に形成された第３の面取りが、上記軸受け部の上記周縁よりも前方に相当する部分に当接して、上記軸が上記軸受け部から外れる向きと同じ向きに上記アームを弾性変形させる。したがって、室内機本体に対して前面パネルを容易に取り付けることができる。
【００１３】
一実施形態の空気調和機では、上記前面パネルが上記室内機本体に対して上記全開状態からさらに開かれるとき、上記前面パネルの上縁が上記室内機本体のうち上記閉状態で閉じられる開口の縁よりも上方の部分に当接して、上記外力に応じた力を上記軸に作用させる支点となるように、上記アームの長さと上記室内機本体内での上記周縁の位置とが設定されていることを特徴とする。
【００１４】
この一実施形態の空気調和機では、上記前面パネルが上記室内機本体に対して上記全開状態からさらに開かれるとき、上記前面パネルの上縁が上記室内機本体のうち上記閉状態で閉じられる開口の縁よりも上方の部分に当接して、上記外力に応じた力を上記軸に作用させる支点となる。したがって、作業者が前面パネルを取り外そうとして前面パネルを開く向きに少し余分な力を加えると、それよりも大きな力が上記軸に加わって、上記軸が上記軸受け部から容易に離脱する。したがって、前面パネルをさらに簡単に取り外しできる。しかも、上記前面パネルが上記室内機本体に対して上記全開状態からさらに開かれるとき、上記前面パネルの上縁と上記開口の縁とが衝突して破損するようなおそれが無い。
【発明を実施するための最良の形態】
【００１５】
以下、この発明を図示の実施の形態により詳細に説明する。
【００１６】
図２は、一実施形態の空気調和機の壁掛形の室内機（右半分）を前方（−Ｘ側）から見たところを示している。また、図３は、図２のものを右側方（−Ｙ側）から見たところを示している。図２および図３から分かるように、この空気調和機は、室内機本体１と、この室内機本体１に対して着脱される前面パネル４とを備えている。図２および図３では、前面パネル４は、室内機本体１に対して略９０°の開き角に開かれ、略水平の姿勢をとった全開状態にある。前面パネル４が室内機本体１に対して閉じられて略鉛直の姿勢をとったときに、室内機前面３の開口９は前面パネル４によって塞がれるようになっている。室内機本体１の上面２には、室内の空気を吸い込むためのグリル（図示せず）が形成されている。
【００１７】
図１に示すように、前面パネル４は、室内機本体１に挿入されるように裏面４０に突設されたアーム２０を備えている。なお、図１は図２におけるＡ−Ａ線矢視断面に相当する。このアーム２０は、前面パネル４の裏面４０に対して略垂直に延びる先細の第１アーム部分２１と、この第１アーム部分２１に対して略９０°屈曲して前面パネル４の上縁４１と略対応する位置まで延びる第２アーム部分２２とからなっている。この第２アーム部分２２の先端に水平方向に延びる軸３０が設けられている。
【００１８】
図４に拡大して示すように、軸３０は、基本的には、外周面３０ｓと端面３０ｅとで定まる短円柱に、それぞれ軸心に対して傾斜した平坦面からなる第１の面取り３１、第２の面取り３２、および第３の面取り３３を形成して得られた外形を有している。端面３０ｅと各面取り３１、３２、３３との間の境界にはそれぞれアール３５が設けられ、外周面３０ｓと各面取り３１、３２、３３との間の境界にはそれぞれアール３６が設けられ、また、各面取り３１、３２、３３同士の間の境界にはそれぞれアール３７が設けられている。
【００１９】
これらのアーム２０および軸３０は、前面パネル４の裏面の上部に、左右対称に一対設けられている。前面パネル４と、一対のアーム２０および軸３０は、一体成形された樹脂からなっている。
【００２０】
図１に示すように、室内機本体１は、軸３０を回動自在に支持するための軸受け部１０を備えている。この軸受け部１０は、前方（−Ｘ方向）へ窪むように湾曲した半円状の周縁１３を有する案内板１２と、この案内板１２の後方に配置された水平方向（Ｙ方向）に延びる規制部材１１（図１０参照）とを含んでいる。案内板１２は、図６（図３中のＢ−Ｂ線矢視断面に相当する）に示すように、後方（＋Ｘ方向）へ向かってアーム２０に近づく向きに傾斜した斜面１２ｆを有している。周縁１３は、案内板１２の斜面１２ｆの後方に位置する。図１に示すように、前面パネル４が室内機本体１に対して取り付けられているとき、案内板１２の周縁１３は軸３０を回動自在に支持する。規制部材１１は、第２アーム部分２２の先端が後方（＋Ｘ方向）へ移動するのを規制することで、軸３０が案内板１２の周縁１３に嵌合した位置から後方（＋Ｘ方向）へ離脱するのを規制する。
【００２１】
軸受け部１０は、前面パネル４の一対のアーム２０および軸３０に対応して、室内機本体１内の上部に、左右対称に一対設けられている。
【００２２】
軸３０の第１の面取り３１は、図１に示すように前面パネル４が全開状態にあるとき、軸３０の先端外周部のうち周縁１３の下部１３ｂに面する部位に形成されている。また、軸３０の第２の面取り３２は、前面パネル４が全開状態にあるとき、軸３０の先端外周部のうちその周縁１３の中央部１３ａに面する部位に形成されている。軸３０の第３の面取り３３は、前面パネル４が全開状態にあるとき、軸３０の先端外周部のうち後方（＋Ｘ方向）を向く位置に形成されている。
【００２３】
室内機本体１に対して前面パネル４を取り付けるときは、作業者は、前面パネル４を水平な姿勢にして手に持ち、図７に示すように、軸３０を案内板１２の斜面１２ｆの位置に合わせて、前面パネル４を前方から後方へ水平方向に押し込む。これにより、軸３０の第３の面取り３３（図１参照）が案内板１２の斜面１２ｆに沿って案内されて挿入され、図６に示すように、周縁１３に嵌合する。
【００２４】
この軸３０が周縁１３に達するまでの間、軸３０の先端外周部に形成された第３の面取り３３が、軸３０が軸受け部１０から外れる向きと同じ向きにアーム２０を弾性変形させる。したがって、室内機本体１に対して前面パネル４を容易に取り付けることができる。
【００２５】
しかる後、軸３０が軸受け部１０に支持された状態で、前面パネル４が軸３０の周りに回転されて、室内機本体１に対して前面パネル４が閉じられる。
【００２６】
一方、室内機本体１から前面パネル４を取り外すときは、図１に示すように、作業者は、前面パネル４の下側部４２を掴んで、外力Ｆを加えて手前に引くようにして持ち上げて、前面パネル４を室内機本体１に対して閉状態から全開状態まで開く。このとき、軸３０が軸受け部１０に支持された状態で、前面パネル４は軸３０の周りに容易に回転する。
【００２７】
全開状態では、前面パネル４の上縁４１は、室内機本体１の上面２のうち開口９よりも上方の部分２ａに当接する。これは、そうなるように、アーム２０の長さと室内機本体１内での周縁１３の位置とが設定されているからである。アーム２０と開口９を定める縁２ｅとの間には隙間９ａが残るようになっている。したがって、前面パネル４の上縁４１やアーム２０と開口９を定める縁２ｅとが衝突して破損するようなおそれが無い。
【００２８】
なお、この全開状態では、室内機本体１とアーム２０との間に設けられた図示しないリブからなる係合部によって、前面パネル４が支持されている。したがって、作業者が前面パネル４から手を離しても、前面パネル４の姿勢が全開状態に維持される。
【００２９】
作業者が前面パネル４を室内機本体１に対して全開状態からさらに開こうとすると、図８に示すように、前面パネル４の上縁４１が支点となって、前面パネル４が受ける外力Ｆに応じた下向きの力Ｆ１が軸３０に作用する。これにより、軸３０の先端外周部に形成された第１の面取り３１が、周縁１３の下部１３ｂに当接する。この結果、軸３０が軸受け部１０から水平方向に外れる向きにアーム２０が弾性変形する。第１の面取り３１が周縁１３の下部１３ｂに少し潜り込む分だけ、前面パネル４は全開状態から少し開く。
【００３０】
この状態から、作業者が前面パネル４を室内機本体１に対してさらに開こうとすると、図９および図１０（図９を斜め上方から見たところに相当する）に示すように、前面パネル４の上縁４１が支点となって、前面パネル４が受ける外力Ｆに応じた前向きの力Ｆ２が軸３０に作用する。これにより、軸３０の先端外周部に形成された第２の面取り３２が、周縁１３の中央部１３ａに当接する。この結果、軸３０が軸受け部１０から水平方向に外れる向きにアーム２０がさらに弾性変形して、軸３０が軸受け部１０から離脱する。
【００３１】
このように、前面パネル４の全開状態から、作業者が前面パネル４を取り外そうとして前面パネル４に対して少し余分な力を加えると、軸３０が軸受け部１０から容易に外れる。また、前面パネル４の上縁４１が支点となって、外力Ｆよりも大きな力が軸３０に加わるから、軸３０が軸受け部１０からさらに容易に外れる。したがって、室内機本体１から前面パネル４を簡単に取り外しできる。しかも、室内機本体１に対して前面パネル４を開く向きに回転させる１種類の操作だけで、室内機本体１から前面パネル４が外れる。したがって、前面パネル４をさらに簡単に取り外しできる。しかも、前面パネル４が室内機本体１に対して全開状態からさらに開かれるとき、前面パネル４の上縁４１やアーム２０と開口９を定める縁２ｅとが衝突して破損するようなおそれが無い。
【００３２】
このように、この空気調和機によれば、作業者が予め正確な取り外し方法を知らなくても、破損を招くことなく、室内機本体１から前面パネル４を簡単に取り外すことができる。この結果、サービス交換のためのコストを削減できる。
【００３３】
なお、図４に示す軸３０と対比して、図５は、第１および第２の面取りに相当するものが形成されていない軸１３０を示している。この軸１３０は、基本的には、外周面１３０ｓと端面１３０ｅとで定まる短円柱に、面取り１３３を形成して得られた外形を有している。この面取り１３３は、図４に示す軸３０における第３の面取り３３に相当する。端面１３０ｅと面取り１３３との間の境界にはアール１３５が設けられ、外周面１３０ｓと面取り１３３との間の境界にはアール１３６が設けられている。この軸１３０のように、既述の第１および第２の面取りに相当するものが形成されていなければ、例えば図１１に示すように、前面パネル４が受ける外力Ｆに応じた前向きの力Ｆ２が軸１３０に作用したとしても、軸１３０が周縁１３から離脱することはない。したがって、本発明による好ましい作用効果を得ることができない。
【００３４】
上述の実施形態では、第１の面取り３１、第２の面取り３２、第３の面取り３３はそれぞれ軸心に対して傾斜した平坦面であるものとしたが、当然ながらこれに限られるものではない。第１の面取り３１と第２の面取り３２とは、または第１の面取り３１と第２の面取り３２と第３の面取り３３とは、例えばアーム２０から離れるに連れて先細になる円錐面（の一部）の形態をとって、軸心の周りに或る角度範囲で互いに連続して構成されていても良い。
【図面の簡単な説明】
【００３５】
【図１】この発明の一実施形態の空気調和機の室内機本体と前面パネルとの着脱に関する部分を示す断面図である。
【図２】上記室内機（右半分）を前方から見たところを示す図である。
【図３】図２のものを右側方から見たところを示す図である。
【図４】上記前面パネルから延びるアームの先端に設けられた軸を示す図である。
【図５】第１および第２の面取りに相当するものが形成されていない軸を、図４と対比して示す図である。
【図６】室内機本体と前面パネルとの着脱に関する部分を前方から見たところを示す図であって、軸が軸受け部の周縁に嵌合している状態を示すものである。
【図７】室内機本体と前面パネルとの着脱に関する部分を前方から見たところを示す図であって、軸が軸受け部の周縁から離脱している状態を示すものである。
【図８】前面パネルの上縁が支点となって、前面パネルが受ける外力に応じた下向きの力が軸に作用している状態を示す図である。
【図９】前面パネルの上縁が支点となって、前面パネルが受ける外力に応じた前向きの力が軸に作用している状態を示す図である。
【図１０】図９のものを斜め上方から見たところを示す図である。
【図１１】アームに仮に図５の軸が設けられた場合の作用を説明する図である。
【図１２】従来の空気調和機における室内機本体と前面パネルとの着脱に関する部分を例示する図である。
【符号の説明】
【００３６】
１  室内機本体
４  前面パネル
１０  軸受け部
１１  規制部材
１３  周縁
２０  アーム
３０  軸
３１  第１の面取り
３２  第２の面取り
３３  第３の面取り
【図１】
2008051434.tif 000003
【図２】
2008051434.tif 000004
【図３】
2008051434.tif 000005
【図４】
2008051434.tif 000006
【図５】
2008051434.tif 000007
【図６】
2008051434.tif 000008
【図７】
2008051434.tif 000009
【図８】
2008051434.tif 000010
【図９】
2008051434.tif 000011
【図１０】
2008051434.tif 000012
【図１１】
2008051434.tif 000013
【図１２】
2008051434.tif 000014